(57)【要約】【課題】母親が家事で忙しい時によちよち歩き、つたい歩きを始めた乳幼児から目が離せない。しかも昨今の住宅事情で畳の部屋が減少し、乳幼児が転倒した時に頭などを板張りの床にぶつけて大怪我をすることが多くなった。そこで、子供が自由に歩き回って転倒しても頭部に怪我をしない防具を開発したものである。また、転倒時の衝撃度を最大限少なくすることが重要である。【解決手段】羽根によるバネと部品の素材により背中への転倒時の衝撃を緩和もしくは吸収できるようにした。また、頭部の床への衝突をなくすために、羽根の間に頭部が納まるように装着し、羽根の高さを高くすることにより転倒時における頭部の床への接触が無いよう心がけた。さらに、バネによる衝撃吸収についても一つのバネより二つ、二つよりも三つと、段階的に衝撃の強さと速度を和らげるほうがより効果があるので、羽根の先端、中間、根元と厚みを変えることにより、一気にではなく徐々にバネを効かせることになり、より衝撃吸収することができた。【選択図】  図５
2006021007.tif 000002
【特許請求の範囲】
【請求項１】
転倒時における、背中への衝撃を和らげるために羽根を型取ったものを背負い、転倒時に羽根の先端２点で支え、さらにそれがバネのように段階的に広がることにより体への衝撃を緩和させる保護用具である。また羽根の高さをもたせることにより、頭部の床への接触防止にもなる。
【発明の詳細な説明】
【発明の詳細な説明】
【技術分野】
【０００１】本発明は、足元がおぼつかない乳幼児の後方転倒時の背中への衝撃を和らげる為に、ブイ字の羽根を背負わせ、転倒時に左右の羽根がバネのように開く事により床との衝突時のショックを和らげる仕組みである。
また、羽根の高さを乳幼児の頭より高くすることにより、床に頭部が接触しないようにしたものである。
【背景技術】
【０００２】従来は後方転倒時の背中への衝撃吸収を製品の素材に頼っており、バネによる衝撃吸収、しかも２点により体を支えるものはなかった。また、従来品は頭に床が衝撃があることを前提にしており、それを緩和することで怪我を防止していたが、頭部そのものが床に接触する工夫をしていなかった。（子供が転倒しそうな時に、背中を支える親はいても、頭を支える親はいない）
【発明が解決しようとする課題】
【０００３】母親が家事で忙しい時によちよち歩き、つたい歩きを始めた乳幼児から目が離せない。しかも昨今の住宅事情で畳の部屋が減少し、乳幼児が転倒した時に頭などを板張りの床にぶつけて大怪我をすることが多くなった。そこで、子供が自由に歩き回って転倒しても頭部に怪我をしない防具を開発したものである。また、転倒時の衝撃度を最大限少なくすることが重要である。
【課題を解決するための手段】
【０００４】羽根によるバネと部品の素材により背中への転倒時の衝撃を緩和もしくは吸収できるようにした。また、頭部の床への衝突をなくすために、羽根の間に頭部が納まるように装着し、羽根の高さを高くすることにより転倒時における頭部の床への接触が無いよう心がけた。さらに、バネによる衝撃吸収についても一つのバネより二つ、二つよりも三つと、段階的に衝撃の強さと速度を和らげるほうがより効果があるので、羽根の先端、中間、根元と厚みを変えることにより、一気にではなく徐々にバネを効かせることになり、より衝撃吸収することができた。
【発明実施の形態】
【０００５】以下、本発明の実施の形態について説明する。
（イ）本発明の装着方法を、図１の立体図を使って説明する。本体２にベルトを通すための穴を４ツ空ける。３の穴の外側からベルトを通し、本体中を通って４から外側、そのまま肩から腹部の調整具５でベルトの長さを調整し、体にフィットさせる事により装着する。（左右とも）た本体２は乳幼児の体にフィットするよう湾曲させ、柔らかい素材を使うことにより、転倒時の衝撃の吸収と体に密着できるようにし、本体１と接合させる。
（ロ）転倒時における本製品のバネの段階的な効き目にについて、図４の各断面図１、２、３を使って説明する。転倒時、第一段階で羽根の先端部１０を他よりも細くする事により、一次的に湾曲させ、断面図１のように最初のバネになる。第二段階で中間部２０を１０よりも太く、根元部３０よりも細くすることにより、二次的に湾曲させ、断面図２のように２番目のバネになる。そして、最終的に一番太い根元部３０が断面図３のように最後のバネになり、より身体への衝撃を和らげることができた。
（ハ）転倒時の乳幼児と本発明ようすを図５を使って説明する。２の転倒時のように、転倒した時に頭部が床と接触しないように、羽根に高さを設ける。
【発明の効果】
【０００６】本発明を装着することにより、怪我をすることが少なくなるので、子供を自由闊達に遊ばせる事ができ、また、子供が装着した時に愛らしくみえる羽根を型取り一見して保護用具にみえない。さらに衝撃吸収のほとんどをバネに頼るので軽量化することができ、非力な乳幼児でも装着時の重量感がなくなった。
【図面の簡単な説明】
【図１】本発明の立体図である。
【符号の説明】
１本体（羽根部）
２本体（背中のクッション）
３ベルトを通す穴（下）
４ベルトを通す穴（上）
５ベルトを固定し、長さを調節する器具
【図２】
本体背面図
【図３】
本体断面図
【図４】
転倒時における本製品の段階的な断面図
【符号の説明】
１羽根の先端部の第一段階の衝突時のようす
（１０先端部の湾曲の様子）
２羽根の中央部の第二段階の衝突時のようす
（２０中間部の湾曲の様子）
３羽根の根元部の第三段階の衝突時のようす
（１０根元部の湾曲の様子）
【図５】
本発明装着時における乳幼児の転倒のようすである。
【符号の説明】
１平常時
２転倒時
【図１】
2006021007.tif 000003
【図２】
2006021007.tif 000004
【図３】
2006021007.tif 000005
【図４】
2006021007.tif 000006
【図５】
2006021007.tif 000007
【手続補正書】
【提出日】平成16年9月18日(2004.9.18)
【手続補正１】
【補正対象書類名】特許請求の範囲
【補正対象項目名】全文
【補正方法】変更
【補正の内容】
【特許請求の範囲】
【請求項１】
転倒時における、背中への衝撃を和らげるために羽根を型取ったものを背負い、転倒時に羽根の先端２点で支え、さらにそれがバネのように段階的に広がることにより体への衝撃を緩和させる保護用具である。また羽根の高さをもたせることにより、頭部の床への接触防止にもなる。
【手続補正２】
【補正対象書類名】明細書
【補正対象項目名】全文
【補正方法】変更
【補正の内容】
【発明の詳細な説明】
【技術分野】
【０００１】本発明は、足元がおぼつかない乳幼児の後方転倒時の背中への衝撃を和らげる為に、ブイ字の羽根を背負わせ、転倒時に左右の羽根がバネのように開く事により床との衝突時のショックを和らげる仕組みである。
また、羽根の高さを乳幼児の頭より高くすることにより、床に頭部が接触しないようにしたものである。
【背景技術】
【０００２】従来は後方転倒時の背中への衝撃吸収を製品の素材に頼っており、バネによる衝撃吸収、しかも２点により体を支えるものはなかった。また、従来品は頭に床が衝撃があることを前提にしており、それを緩和することで怪我を防止していたが、頭部そのものが床に接触する工夫をしていなかった。（子供が転倒しそうな時に、背中を支える親はいても、頭を支える親はいない）
【発明が解決しようとする課題】
【０００３】母親が家事で忙しい時によちよち歩き、つたい歩きを始めた乳幼児から目が離せない。しかも昨今の住宅事情で畳の部屋が減少し、乳幼児が転倒した時に頭などを板張りの床にぶつけて大怪我をすることが多くなった。そこで、子供が自由に歩き回って転倒しても頭部に怪我をしない防具を開発したものである。また、転倒時の衝撃度を最大限少なくすることが重要である。
【課題を解決するための手段】
【０００４】羽根によるバネと部品の素材により背中への転倒時の衝撃を緩和もしくは吸収できるようにした。また、頭部の床への衝突をなくすために、羽根の間に頭部が納まるように装着し、羽根の高さを高くすることにより転倒時における頭部の床への接触が無いよう心がけた。さらに、バネによる衝撃吸収についても一つのバネより二つ、二つよりも三つと、段階的に衝撃の強さと速度を和らげるほうがより効果があるので、羽根の先端、中間、根元と厚みを変えることにより、一気にではなく徐々にバネを効かせることになり、より衝撃吸収することができた。
【発明実施の形態】
【０００５】以下、本発明の実施の形態について説明する。
（イ）本発明の装着方法を、図１の立体図を使って説明する。本体２にベルトを通すための穴を４ツ空ける。３の穴の外側からベルトを通し、本体中を通って４から外側、そのまま肩から腹部の調整具５でベルトの長さを調整し、体にフィットさせる事により装着する。（左右とも）また本体２は乳幼児の体にフィットするよう湾曲させ、柔らかい素材を使うことにより、転倒時の衝撃の吸収と、体に密着できるようし、本体１と接合する。
（ロ）転倒時における本製品のバネの段階的な効き目にについて、図４の各断面図１、２、３を使って説明する。転倒時、第一段階で羽根の先端部１０を他よりも細くする事により、一次的に湾曲させ、断面図１のように最初のバネになる。第二段階で中間部２０を１０よりも太く、根元部３０よりも細くすることにより、二次的に湾曲させ、断面図２のように２番目のバネになる。そして、最終的に一番太い根元部３０が断面図３のように最後のバネになり、より身体への衝撃を和らげることができた。
（ハ）転倒時の乳幼児と本発明ようすを図５を使って説明する。２の転倒時のように、転倒した時に頭部が床と接触しないように、羽根に高さを設ける。
【発明の効果】
【０００６】本発明を装着することにより、怪我をすることが少なくなるので、子供を自由闊達に遊ばせる事ができ、また、子供が装着した時に愛らしくみえる羽根を型取り一見して保護用具にみえない。さらに衝撃吸収のほとんどをバネに頼るので軽量化することができ、非力な乳幼児でも装着時の重量感がなくなった。
【図面の簡単な説明】
【０００７】
【図１】本発明の立体図である。
【図２】本体背面図
【図３】本体断面図
【図４】転倒時における本製品の段階的な断面図
【図５】本発明装着時における乳幼児の転倒のようすである。
【符号の説明】
【０００８】  図１−１  本体（羽根部）
図１−２  本体（背中のクッション）
図１−３  ベルトを通す穴（下）
図１−４  ベルトを通す穴（上）
図１−５  ベルトを固定し、長さを調節する器具
図４−１  羽根の先端部の第一段階の衝突時のようす
（１０先端部の湾曲の様子）
図４−２  羽根の中央部の第二段階の衝突時のようす
（２０中間部の湾曲の様子）
図４−３  羽根の根元部の第三段階の衝突時のようす
（１０根元部の湾曲の様子）
図５−１  平常時
図５−２  転倒時